(57)【要約】【課題】ジェット併用洗浄モードとリム単独洗浄モードとを切り替え可能とした便器洗浄装置において、リム単独洗浄モードでも便鉢が十分に洗浄されるようにすることを目的とする。【解決手段】昼間等にあっては、リム及びジェットを併用して便器洗浄する。深夜、早朝にあっては、リムのみにて便器洗浄する。リム単独洗浄モードに従って洋風便器１に洗浄水を供給するときには、弁２２及び３２が所定時間開弁する。これにより、所定時間内に多量の洗浄水がリムを経由して便鉢に流れ込み、鉢面が洗浄されると共に、便鉢内の水位が所要程度上昇する。そうすると、便鉢内の汚水がトラップ部を十分な勢いをもって溢流し、トラップ部にサイホンが十分に形成される。【選択図】図２
2005248670.tif 000002
【特許請求の範囲】
【請求項１】
水道水圧によって便鉢のリムに給水するリム給水手段と、
水道水圧によってトラップ部に臨んだジェット孔に給水するジェット給水手段と、
該リム給水手段に加えてジェット給水手段によっても便器洗浄するリム・ジェット併用洗浄モードと、リム給水手段のみにより便器洗浄するリム単独洗浄モードとを選択する洗浄モード選択手段と
を有する便器洗浄装置において、
ジェット併用洗浄モードにおけるリムへの給水流量よりもリム単独洗浄モードにおけるリムへの給水流量を多くしたことを特徴とする便器洗浄装置。
【請求項２】
請求項１において、該リム給水手段は、ジェット併用洗浄モード及びリム単独洗浄モードのいずれにおいてもリムへ給水する第１リム給水手段と、リム単独洗浄モードの場合にのみリムへ給水する第２リム給水手段とを備えてなることを特徴とする便器洗浄装置。
【発明の詳細な説明】
【技術分野】
【０００１】
本発明は、洋風便器に洗浄水を供給する便器洗浄装置に係り、特に該洋風便器がサイホンジェット式洋風便器である場合に採用される便器洗浄装置に関する。さらに詳しくは、本発明は、ロータンクやハイタンクなどのタンクを設置せず、水道水の水圧によって洗浄水を洋風便器に供給する便器洗浄装置の改良に関する。
【背景技術】
【０００２】
従来用いられてきた洋風便器は、便器本体の後部上面にロータンクを設置し、該ロータンク内の水をリム等へ供給するロータンク式のものが多い。
【０００３】
このロータンク式洋風便器は、ロータンクの分だけ後方に出張るところから、近年、ロータンクを省略し、水道水圧によって洗浄水を給水することにより洋風便器の後方出張りを著しく小さくした洋風便器が急速に普及しつつある。この水道水圧による便器洗浄装置にあっては、便鉢内から汚物やペーパーを強力に排出するために、便器のトラップ部にジェット孔から水を噴出させてサイホン排出水流を形成するサイホンジェット式洗浄方式が採用されている。
【０００４】
特開平３−９０７３７号には、この水道直圧式のサイホンジェット式洗浄方式の便器洗浄装置において、リム洗浄のみを行わせたり、リムとジェットとの併用洗浄を行わせたりする洗浄モード変更可能な便器洗浄装置が記載されている。
【特許文献１】特開平３−９０７３７号公報
【発明の開示】
【発明が解決しようとする課題】
【０００５】
サイホンジェット式洗浄方式は、便鉢内の汚水を強力に排出することができるが、ジェット動作時に排水音が大きくなり夜間等に排水音が気になるおそれがある。そこで、上記特開平３−９０７３７号のようにジェット併用洗浄モード、リム単独洗浄モード等の洗浄モードを切り替え可能とし、夜間にリム単独洗浄モードとすることが考えられる。
【０００６】
しかしながら、ジェット併用洗浄モードとリム単独洗浄モードとでリムへの給水流量を同一とした場合、リム単独洗浄モードにおけるリムからの排出水勢が弱くなり、汚物が便鉢内に残ったりして洗浄が不十分になるおそれがある。
【０００７】
本発明は、ジェット併用洗浄モードとリム単独洗浄モードとを切り替え可能とした便器洗浄装置において、リム単独洗浄モードでも便鉢が十分に洗浄されるようにすることを目的とする。
【課題を解決するための手段】
【０００８】
本発明（請求項１）の便器洗浄装置は、水道水圧によって便鉢のリムに給水するリム給水手段と、水道水圧によってトラップ部に臨んだジェット孔に給水するジェット給水手段と、該リム給水手段に加えてジェット給水手段によっても便器洗浄するリム・ジェット併用洗浄モードと、リム給水手段のみにより便器洗浄するリム単独洗浄モードとを選択する洗浄モード選択手段とを有する便器洗浄装置において、ジェット併用洗浄モードにおけるリムへの給水流量よりもリム単独洗浄モードにおけるリムへの給水流量を多くしたことを特徴とするものである。
【０００９】
かかる本発明の便器洗浄装置によると、リム単独洗浄モードの場合でもリムへの給水流量が多いので、便鉢からの排出水勢が強くなり、便鉢が十分に洗浄されるようになる。
【００１０】
なお、リム単独洗浄モード時の給水量を増大させるには、ジェット併用洗浄モード時よりも給水時間を長くしたり、給水流量（単位時間（例えば１秒）当りの給水量）を増大させることが考えられる。前記特開平３−９０７３７号公報の第４図（ａ），（ｅ）には、前者のように、リム単独洗浄時のリムへの給水時間をジェット併用洗浄時のリムへの給水時間よりも長くすることが示されている。しかしながら、このように単に給水時間を長くしただけでは便鉢内の水位上昇が緩慢となり便鉢からの排出水勢が強くならないことがあるので、本発明ではリム単独洗浄時における給水流量を増大させる。このように給水流量を増大させること、即ち短時間のうちに多量の水をリムに供給することにより、便鉢内の水位を十分に高くしてサイホンを確実に形成し、便鉢からの汚水排出を強力に行うことができる。もちろん、給水流量を増大させると共に、給水時間を長くするようにしてもよい。
【００１１】
給水流量を増大させるには、給水弁の開度を大きくすることが簡便で好適である。しかしながら、水道直圧式の便器洗浄装置において水道元圧がさほど高くないときには、弁開度を増大させても給水流量があまり増大しないことがある。そこで、ジェット併用洗浄モード及びリム単独洗浄モード時のいずれのモードにおいてもリムへ給水する第１リム給水手段と、リム単独洗浄モード時にのみリムへ給水する第２リム給水手段とを設けるようにするのが好ましい。このようにすれば、リム単独洗浄モード時には、リムに対し第１及び第２リム給水手段の双方から給水されることにより、便鉢に十分な給水流量にて水を供給して強力なサイホンを確実に形成し、便鉢を確実に十分に洗浄することが可能となる。
【発明の効果】
【００１２】
本発明によると、ジェット併用洗浄モードとリム単独洗浄モードとを切り替え可能とした便器洗浄装置において、リム単独洗浄モードでも便鉢が確実に十分に洗浄されるようになる。
【発明を実施するための最良の形態】
【００１３】
以下、図面を参照して実施の形態について説明する。図１（ａ）は実施の形態に係る便器洗浄装置を備えた洋風便器設備の斜視図、図１（ｂ）はその電動弁ユニット及び蓄圧水供給機構の構成図、図２は洗浄水供給流路の給水タイミングチャートである。
【００１４】
陶器製の洋風便器１は、前部に鉢部２を備え、この鉢部２の上部内周にリム３が設けられている。このリム３へはリムノズル４を介して洗浄水が供給される。このリムノズル４は、洋風便器１の正面向って左側にのみ配置されており、所謂「片側給水方式」となっている。このリムノズル４から水がリム３に供給されることにより、鉢面には旋回流が形成される。
【００１５】
鉢部２のトラップ部には、該トラップ部にサイホン排出流を誘起するための水（ジェット水）を噴出するジェットノズル５が設けられている。このトラップ部は、鉢部２の底部から斜め上方に立ち上がる上昇部と、該上昇部に連なり、下方に立ち下がる立下部とを有しており、この立下部が排水管（図示略）に連なっている。このトラップ構造自体は周知のものである。
【００１６】
洋風便器１の後部上面に便座ボックス（図示略）が設置されている。この便座ボックスに対し便座及び便蓋（いずれも図示略）が起倒回動しうるように支持されている。
【００１７】
トイレルームの壁面には給水管の末端が突出しており、この給水管の末端に止水栓１０が取り付けられている。この止水栓１０は給水ホース１１を介して洋風便器１の後部に設置されたストレーナ１２に接続されている。このストレーナ１２を通過した水は電動弁ユニット２０の弁装置２２，２３へ供給可能とされると共に、該ストレーナ１２の２次側から分岐した配管３０を介して弁装置３２へ供給可能とされている。
【００１８】
電動弁ユニット２０は、内部に配置された弁装置２２，２３をモータ２１で駆動し、リムノズル給水配管２４又はジェットノズル給水配管２５へ水を給水する。また、この電動弁ユニット２０にあっては、弁装置３２をモータ３１で駆動し、この弁装置３２からの水を配管３４を介してリムノズル給水配管２４へ放出可能としている。
【００１９】
この弁装置２２が第１リム給水手段を構成し、弁装置３２が第２リム給水手段を構成している。
【００２０】
なお、停電時にも便器を使用できるようにするために、モータ２１の回転軸に手動式の洗浄ハンドル２８が取り付けられている。
【００２１】
この電動弁ユニット２０には、リムノズル用給水配管２４，３４内及びジェットノズル用給水配管２５内の負圧をブレークするためのバキュームブレーカ２６，２７が設けられている。このバキュームブレーカ２６，２７は、該給水配管２４，３４又は２５内に負圧が生じたときに開弁して該給水配管２４，３４又は２５内を大気に連通させるよう構成されている。
【００２２】
これらの弁装置２２，２３，３２は図示しない制御器によって制御される。この制御器へは、洋風便器１の使用者の検知信号及びリモコン（図示略）のフラッシュスイッチ信号が入力され、これらの信号に基づいて弁装置２２，２３，３２が作動される。
【００２３】
以下、この便器洗浄装置の作動について説明する。なお、以下、弁装置２２，２３，３２を単に弁２２，２３，３２ということがある。
【００２４】
(I)  ジェット併用洗浄モード
この実施の形態では、深夜以外はこのジェット併用洗浄モードにて便器洗浄を行う。
【００２５】
このジェット併用洗浄モードに従って用便（大便）後に洋風便器１に洗浄水を供給するときには、弁２２が所定時間開弁し、水道水圧によってリム３へ洗浄水が供給され、鉢面に付着した汚れがトラップ部へ洗い落とされる。このジェット併用洗浄モードでは弁３２は閉のままである。
【００２６】
リム３への給水開始から所定時間経過すると、弁２２が閉弁する。この弁２２の閉弁後、又は閉弁と略同時に、弁２３が所定時間開弁し、ジェットノズル５から水が噴出してトラップ部にサイホンが誘起され、汚水が排水管へ排出される。その後、弁２３が閉弁し、次いで弁２２が再度所要時間開弁し、トラップ水が貯溜される。
【００２７】
(II)  リム単独洗浄モード
深夜時間帯（早朝を含む）等にあっては、このリム単独洗浄モードにて便器洗浄を行う。このリム単独洗浄モードに従って洋風便器１に洗浄水を供給するときには、弁２２及び３２が所定時間開弁する。これにより、所定時間内に多量の洗浄水がリムを経由して便鉢に流れ込み、鉢面が洗浄されると共に、便鉢内の水位が所要程度急速に上昇する。そうすると、便鉢内の汚水がトラップ部を十分な勢いをもって溢流し、トラップ部にサイホンが十分に形成される。このサイホン作用により、便鉢内の汚水が引き抜かれるようにして排出される。弁２２，３２が閉弁して所定時間の間は、上記のサイホンによる排出が継続する。ある程度の時間が経過すると、トラップ部に便鉢側から空気が巻き込まれるようになり、サイホンが破れ、便鉢からの汚水流出が停止する。この汚水流出停止後、弁２２が所要時間開弁し、リムを経由して便鉢に水が流れ込み、トラップ水が貯留される。
【００２８】
このように、このリム単独洗浄モードでは、ジェット用の弁２３は開弁せず、サイホン式便器洗浄が行われる。そのため、便器洗浄時のトラップ排水騒音が低いレベルとなる。
【００２９】
また、このサイホン洗浄に際しては、２個の弁２２，３２を介して水が便鉢に供給されるので、便鉢内の水位が確実に高くなり、強力なサイホンが確実に形成される。
【００３０】
なお、リム単独洗浄モードを実行する際に、弁３２を開とせず、弁２２の開弁継続時間を図２の場合よりも長くした場合、弁２２のみを経由して便鉢に水が流入するため、便鉢からのトラップ溢流量と便鉢への流入流量との差異が小さく、便鉢内の水位が十分に上昇せず、サイホン形成が不十分になるおそれがある。これに対し、この実施の形態のように弁２２，３２の双方を開弁させて便鉢への単位時間当りの流入流量を多くすることにより、便鉢内の水位を確実に高め、強力なサイホンを確実に形成することができる。
【００３１】
なお、この実施の形態では２個の弁２２，３２を並列設置しているが、３個以上の弁を並列設置してもよい。
【００３２】
また、１個の弁２２のみを設け、この弁２２の開度をジェット併用洗浄モード時よりもリム単独洗浄モード時に大きくするようにしてもよい。
【００３３】
また、水道元圧が十分に高い場合には、開閉弁としては１個の弁２２のみを設けておき、この弁２２の上流側（又は下流側）に可変絞りを設けておき、ジェット併用洗浄モード時よりもリム単独洗浄モード時の絞り開度を大とするようにしてもよい。
【００３４】
上記図２のリム単独洗浄モードにあっては、弁２２，３２の開閉のタイミングが一致しているが、ずれていてもよい。また、トラップ水貯留時に弁２２，３２の双方を開弁させてもよい。
【００３５】
特に本発明を限定するものではないが、通常のサイズの便器にあっては、図２のジェット併用洗浄モードの場合、リム洗浄水量は４〜８Ｌ（流量としては１５〜２０Ｌ／ｍｉｎ）程度、ジェット水量は２〜６Ｌ程度が好適である。リム単独洗浄モードの場合、リム洗浄水量は２個の弁２２，３２からの合計で１０〜１５Ｌ（流量としては１５〜３５Ｌ／ｍｉｎ）程度が好適である。
【図面の簡単な説明】
【００３６】
【図１】（ａ）図は実施の形態に係る便器洗浄装置を備えた洋風便器設備の斜視図、（ｂ）はその電動弁ユニットの構成図である。
【図２】実施の形態に係る便器洗浄装置の洗浄タイミングチャートである。
【符号の説明】
【００３７】
１  洋風便器
２  鉢部
３  リム
４  リムノズル
５  ジェットノズル
１２  ストレーナ
２０  電動弁ユニット
２２，２３，３２  弁装置
【図１】
2005248670.tif 000003
【図２】
2005248670.tif 000004